(57)【要約】      （修正有）【課題】スキャンラインの配線抵抗による電圧降下の問題を克服するために、入力されるデータを補正することで、画像品質の劣化を抑止する。【解決手段】スキャンライン、データライン及び多数の画素が備えられる表示パネル１０と、データラインに補正データ信号を印加するデータ駆動部１６と、奇数番目のスキャンラインに順次走査信号を印加する第１走査駆動部１４と、偶数番目のスキャンラインに順次走査信号を印加する第２走査駆動部１５と、各スキャンライン別にこれに連結された画素に入力されるデータを格納するバッファメモリ１８と、バッファメモリ１８に格納されたデータにより各スキャンライン別の輝度の程度を判断してこれに対応するデータ補正値を生成し、これを通じて前記各スキャンラインに連結されるそれぞれの画素位置に適合するように、データに補正値を加減して生成された補正データ信号をデータ駆動部に提供する補正演算部１９とを備える。【選択図】図１
2010015138.tif 000002
【特許請求の範囲】
【請求項１】
スキャンライン、データライン及び前記スキャンラインとデータラインの交差部に形成された多数の画素が備えられる表示パネルと、
前記データラインに補正データ信号を印加するデータ駆動部と、
奇数番目のスキャンラインに順次走査信号を印加する第１走査駆動部と、
偶数番目のスキャンラインに順次走査信号を印加する第２走査駆動部と、
各スキャンライン別にこれに連結された画素に入力されるデータを格納するバッファメモリと、
前記バッファメモリに格納されたデータにより各スキャンライン別の輝度の程度を判断してこれに対応するデータ補正値を生成し、これを通じて前記各スキャンラインに連結されるそれぞれの画素位置に適合するように、データに前記補正値を加減して生成された前記補正データ信号を前記データ駆動部に提供する補正演算部と
を備えることを特徴とする有機電界発光表示装置。
【請求項２】
前記補正演算部は、
各スキャンライン別の輝度の程度を判断し、各スキャンラインに対して互いに対応する画素別の輝度差を計算する第１計算部と、
前記第１計算部の結果値と、スキャンラインに連結された各画素のアドレス情報の入力を受けて現在のスキャンラインに連結された各画素の位置に適合するように、前記各画素に入力されるデータの補正値を調整する第２計算部と、
前記第１計算部による各スキャンライン別の輝度の程度を考慮して前記各画素に入力されるデータの輝度に適合した校正値を生成する制御部と
を有することを特徴とする請求項１に記載の有機電界発光表示装置。
【請求項３】
前記第１計算部は各スキャンライン別の輝度の程度を判断するように前記各スキャンラインに連結された画素に入力されるデータを加算合計する回路を含むことを特徴とする請求項２に記載の有機電界発光表示装置。
【請求項４】
前記第２計算部はスキャンラインの端部から中央部方向へ画素位置に適合するように、データの補正値を傾斜的に調整できるように、すなわち、端部に向かうほど、補正が大きくなるように、各画素のアドレスに対して直線近似させる乗除算回路を有することを特徴とする請求項２に記載の有機電界発光表示装置。
【請求項５】
前記制御部は各画素に入力されるデータの階調別に前記補正値を加減するようにする校正値が格納されたレジスタを備えた階調補正テーブル回路を有することを特徴とする請求項２に記載の有機電界発光表示装置。
【請求項６】
各スキャンライン別の輝度の程度を判断し、各スキャンラインに対して互いに対応する画素別の輝度差を計算する第１段階と、
スキャンラインに連結された各画素のアドレス情報の入力を受けて現在のスキャンラインに連結された各画素の位置に適合するように、前記各画素に入力されるデータの補正値を調整する第２段階と、
前記第１段階による各スキャンライン別の輝度の程度を考慮して前記各画素に入力されるデータの輝度に適合した校正値を生成する第３段階と、
前記第２段階及び第３段階の出力値により生成された最終補正値が現在のスキャンラインに連結された画素に入力されるデータに加減されて補正データが出力される第４段階と
を含むことを特徴とする有機電界発光表示装置の駆動方法。
【請求項７】
前記隣接するスキャンラインは奇数番目のスキャンライン及びこれに隣接した偶数番目のスキャンラインであり、前記奇数番目及び偶数番目のスキャンラインには互いに異なる方向から走査信号が印加されることを特徴とする請求項６に記載の有機電界発光表示装置の駆動方法。
【請求項８】
前記各画素に入力されるデータの補正値を調整するにおいてスキャンラインの端部から中央部方向へ画素位置に適合するように、データの補正値を傾斜的に調整することを特徴とする請求項６に記載の有機電界発光表示装置の駆動方法。
【発明の詳細な説明】
【技術分野】
【０００１】
本発明は有機電界発光表示装置に関し、特に配線の電圧降下（ＩＲ ｄｒｏｐ）による輝度差を克服できる受動型有機電界発光表示装置及びその駆動方法に関する。
【背景技術】
【０００２】
通常、有機電界発光表示装置は自発光素子であって、液晶表示装置などの他のディスプレイ装置に比べて視野角の問題がなく、消費電力に比べて高い輝度の発光能力を有する。また、他の表示装置に比べて薄い厚さで製作し易いという長所を有する。
このような有機電界発光表示装置は、駆動方式によって能動型と受動型とに区分され得る。
【０００３】
能動型有機電界発光表示装置は、それぞれの画素が駆動回路を有する。従って、スキャンラインを介して選択された画素にデータ信号が印加される。またデータ信号は画素の発光期間にキャパシタに維持される特性を有する。従って、発光期間全体を通じて画素にデータ信号を供給する必要がないので、画素の駆動電力が減少するという効果がある。但し、前記能動型有機電界発光表示装置は、それぞれの画素別に有機発光ダイオード以外に多数の薄膜トランジスタ及びキャパシタが備えられなければならないなど、その構成が複雑であるという短所がある。
【０００４】
それに対し、受動型有機電界発光表示装置は、それぞれの画素に有機発光ダイオード、アノード電極及びカソード電極を備えてアノード電極とカソード電極との間に印加されるデータ電圧又は電流により発光動作を行う。即ち、前記受動型有機電界発光表示装置は、各画素を構成するにおいて薄膜トランジスタが備えられる必要がないなど、前述した能動型有機電界発光表示装置に比べて相対的に簡単な構成を有し、それにより、生産が容易であるという長所を有する。
【０００５】
このような受動型有機電界発光表示装置は、多数の画素で構成されたパネル部と、画素にスキャン信号を供給するためのスキャンライン及び前記画素にデータ信号を供給するためのデータラインで構成される。
【０００６】
特に、前記スキャンラインは各画素のカソード電極に連結され、一般に偶数番目及び奇数番目毎に左右交互に接続される構造を有する。
即ち、スキャンラインにスキャン信号を印加する動作は画素の左側と右側で交互に印加できる。一例として、奇数番目のスキャンラインはパネル部の左側からスキャン信号の供給を受け、偶数番目のスキャンラインはパネル部の右側からスキャン信号の供給を受けることができる。
【０００７】
しかしながら、このような構造の場合、スキャンラインの配線抵抗による電圧降下（ＩＲ ｄｒｏｐ）が発生すれば、左右の両端に向かうほど、奇数番目及びこれに隣接した偶数番目ラインの輝度差が大きくなり、水平ストライプ現象が現れて画像の品質が劣化してしまうという短所がある。
【先行技術文献】
【特許文献】
【０００８】
【特許文献１】日本特開平２００７−３１００９７号
【特許文献２】日本特開平２００７−２７２１４４号
【発明の概要】
【発明が解決しようとする課題】
【０００９】
従って、本発明は上記事情に鑑みてなされたものであって、その目的は、受動型有機電界発光表示装置において、スキャンラインの配線抵抗による電圧降下の問題を克服するために、データラインに入力されるデータを補正して提供することで、水平ストライプ現象を除去し、これによる画像品質の劣化も抑止する有機電界発光表示装置及びその駆動方法を提供することにある。
【課題を解決するための手段】
【００１０】
前記目的を達成するために、本発明に係る有機電界発光表示装置は、スキャンライン、データライン及び前記スキャンラインとデータラインの交差部に形成された多数の画素が備えられる表示パネルと、前記データラインに補正データ信号を印加するデータ駆動部と、奇数番目のスキャンラインに順次走査信号を印加する第１走査駆動部と、偶数番目のスキャンラインに順次走査信号を印加する第２走査駆動部と、各スキャンライン別にこれに連結された画素に入力されるデータを格納するバッファメモリと、前記バッファメモリに格納されたデータにより各スキャンライン別の輝度の程度を判断してこれに対応するデータ補正値を生成し、これを通じて前記各スキャンラインに連結されるそれぞれの画素位置に適合するように、データに前記補正値を加減して生成された前記補正データ信号を前記データ駆動部に提供する補正演算部とを有することを特徴とする。
【００１１】
このとき、前記補正演算部は、各スキャンライン別の輝度の程度を判断し、各スキャンラインに対して互いに対応する画素別の輝度差を計算する第１計算部と、前記第１計算部の結果値と、スキャンラインに連結された各画素のアドレス情報の入力を受けて現在のスキャンラインに連結された各画素の位置に適合するように、前記各画素に入力されるデータの補正値を調整する第２計算部と、前記第１計算部による各スキャンライン別の輝度の程度を考慮して前記各画素に入力されるデータの輝度に適合した校正値を生成する制御部とを有することを特徴とする。
【００１２】
また、前記各スキャンラインに対して互いに対応する画素は同じデータラインに連結される画素であり、隣接したスキャンラインにそれぞれ連結された画素であり、前記第１計算部は各スキャンライン別の輝度の程度を判断するように前記各スキャンラインに連結された画素に入力されるデータを加算合計する回路を有することを特徴とする。
【００１３】
更に、前記第２計算部はスキャンラインの端部から中央部方向へ画素位置に適合するように、データの補正値を傾斜的に調整できるように、すなわち、端部に向かうほど、補正が大きくなるように、各画素のアドレスに対して直線近似させる乗除算回路を有し、前記制御部は各画素に入力されるデータの階調別に前記補正値を加減するようにする校正値が格納されたレジスタを備えた階調補正テーブル回路を有することを特徴とする。
【００１４】
また、本発明による有機電界発光表示装置の駆動方法は、各スキャンライン別の輝度の程度を判断し、各スキャンラインに対して互いに対応する画素別の輝度差を計算する第１段階と、スキャンラインに連結された各画素のアドレス情報の入力を受けて現在のスキャンラインに連結された各画素の位置に適合するように、前記各画素に入力されるデータの補正値を調整する第２段階と、前記第１段階による各スキャンライン別の輝度の程度を考慮して前記各画素に入力されるデータの輝度に適合した校正値を生成する第３段階と、前記第２段階及び第３段階の出力値により生成された最終補正値が現在のスキャンラインに連結された画素に入力されるデータに加減されて補正データが出力される第４段階とを含むことを特徴とする。
【００１５】
更に、前記隣接するスキャンラインは、奇数番目のスキャンライン及びこれに隣接した偶数番目のスキャンラインであり、前記奇数番目及び偶数番目のスキャンラインには互いに異なる方向から走査信号が印加され、前記各画素に入力されるデータの補正値を調整するにおいてスキャンラインの端部から中央部方向へ画素位置に適合するように、データの補正値を傾斜的に調整することを特徴とする。
【発明の効果】
【００１６】
本発明によれば、スキャンラインの配線抵抗による電圧降下の問題を克服するために、データラインに入力されるデータを補正して提供することで、水平ストライプ現象を除去し、これによる画像品質の劣化も抑止できるという効果を奏する。
【図面の簡単な説明】
【００１７】
【図１】本発明の実施形態に係る有機電界発光表示装置の概略的なブロック図である。
【図２】図１の表示パネルに対する回路構成を示すブロック図である。
【図３】図１の補正演算部に対する具体的な構成を示すブロック図である。
【発明を実施するための形態】
【００１８】
以下、添付の図面を参照しつつ、本発明の実施形態を説明する。ここで、第１構成要素と第２構成要素が連結されると説明するにあたり、第１構成要素は第２構成要素と直接連結されてもよく、第３構成要素を介して第２構成要素と間接的に連結されてもよい。また、本発明の完全な理解のための必須でない構成要素は明確性を図るために省略する。更に、同一部分には同一符号を付す。
【００１９】
図１は、本発明の実施形態に係る有機電界発光表示装置の概略的なブロック図であり、図２は、図１の表示パネルに対する回路構成を示すブロック図である。
【００２０】
図１を参照すれば、本発明の実施形態に係る有機電界発光表示装置は、表示パネル１０、タイミング制御部１２、走査駆動部１４及びデータ駆動部１６を有する。特に、各スキャンラインＳ１、…、Ｓｎ別にこれに連結された画素（図示せず）に入力されるデータＤａｔａを格納するバッファメモリ１８と、バッファメモリ１８に格納されたデータにより各スキャンライン別の輝度の程度を判断し、これに対応するデータ補正値を生成する。そして、これを通じて各スキャンラインに連結されるそれぞれの画素位置に適合するように、データに補正値を加減して生成された補正データＤａｔａ’をデータ駆動部１６に提供する補正演算部１９を有する。
【００２１】
即ち、補正演算部１９はスキャンラインの配線抵抗による電圧降下の問題を克服するにおいて、スキャンラインに連結された画素に入力されるデータによる輝度程度を考慮してデータを補正し、補正されたデータをデータ駆動部１６に提供する。
【００２２】
タイミング制御部１２は外部から入力される画像データＤａｔａを処理する。タイミング制御部１２は画像データが入力されるバッファメモリ１８を制御し、データ駆動部１６にデータ制御信号を印加し、走査駆動部１４に走査制御信号を印加する。
そして、データラインＤ１、…、Ｄｍと電気的に連結されたデータ駆動部１６は、タイミング制御部１２からのデータ制御信号に応じて補正演算部１６を介して入力を受けた補正データＤａｔａ’に相応する駆動電流を生成してデータラインＤ１、…、Ｄｍに印加する。
【００２３】
また、スキャンラインＳ１、…、Ｓｎと電気的に連結された走査駆動部１４、１５は、タイミング制御部１２から入力されるスイッチング制御信号に応じた走査信号をスキャンラインＳ１、…、Ｓｎのそれぞれに順次印加する。
【００２４】
但し、本発明の実施形態の場合、走査駆動部は奇数番目のスキャンラインＳ１、Ｓ３、…、Ｓｎ−１に順次走査信号を印加する第１走査駆動部１４と、偶数番目のスキャンラインＳ２、Ｓ４、…、Ｓｎに順次走査信号を印加する第２走査駆動部１５とからなることを特徴とする。
【００２５】
表示パネル１０は、図２に示すように、多数の画素１１０、１１２、１１４で構成された画素部１００、画素１１０、１１２、１１４にスキャン信号Ｓ１、…、Ｓｎを供給するためのスキャンライン１２０、１３０及び画素１１０にデータ信号Ｄ１（Ｒ）、Ｄ２（Ｇ）、…、Ｄｍ（Ｂ）を供給するためのデータライン１４０で構成される。
【００２６】
画素部１００のそれぞれの画素１１０、１１２、１１４は、スキャンライン１２０、１３０とデータライン１４０とが交差する領域に形成され、規則的に配列されたレッド画素１１０、ブルー画素１１２及びグリーン画素１１４で構成される。それぞれの画素１１０、１１２、１１４は、特定の色を表す有機発光ダイオードＤ及び寄生キャパシタＣでモデリングされる。また、有機発光ダイオードＤのアノード電極にはデータライン１４０が連結され、カソード電極にはスキャンライン１２０、１３０が連結される。
【００２７】
スキャンライン１２０、１３０は、多数の画素１１０、１１２、１１４のカソード電極に連結される。それぞれのスキャンライン１２０、１３０が活性化される場合、活性化されたスキャンライン１２０、１３０に連結された画素１１０、１１２、１１４は発光動作を行える状態で進入する。
【００２８】
スキャンライン１２０、１３０を活性化する方法によってディスプレイ動作は、飛越走査（Ｉｎｔｅｒｌａｃｅｄ Ｓｃａｎ）及び順次走査（Ｐｒｏｇｒｅｓｓｉｖｅ Ｓｃａｎ）とに分けられる。
【００２９】
また、スキャンライン１２０、１３０にスキャン信号Ｓ１、…、Ｓ２ｎを印加する動作は、画素の左側と右側で交互に印加できる。即ち、奇数番目のスキャンライン１２０はパネル部１００の左側からスキャン信号の供給を受け、偶数番目のスキャンライン１３０はパネル部１００の右側からスキャン信号の供給を受けることができる。
【００３０】
例えば、奇数番目のライン、即ち、一例として、第１スキャンライン１２１が活性化され、第１スキャンライン１２１に連結された画素１１０、１１２、１１４にデータ信号Ｄ１（Ｒ）、Ｄ２（Ｇ）、…、Ｄｍ（Ｂ）が供給されると、それぞれの画素１１０、１１２、１１４を通過した電流は第１スキャンライン１２１の右側から左側に流れる。従って、配線抵抗Ｒが存在する場合、第１スキャンライン１２１の右側の電圧は左側の電圧より高いレベルを維持する。
【００３１】
即ち、第１スキャンライン１２１の右側に配置された画素のカソード電圧は高い値を維持し、左側に配置された画素のカソード電圧は低い値を維持する。  従って、第１スキャンライン１２１に連結された画素が同じ輝度で発光しなければならない場合にも右側の画素は左側の画素より多少低い輝度で発光する。
【００３２】
前述した現象は偶数番のスキャンライン１３０に連結された画素では反対に現れる。即ち、一例として、第２スキャンライン１３１に連結された画素が同じ輝度で発光しなければならない場合にも左側の画素は低い輝度で発光する。
このようにスキャンラインの配線抵抗による電圧降下（ＩＲ ｄｒｏｐ）が発生すれば、左右の終端へ向かうほど、奇数番目及びこれに隣接した偶数番目ラインの輝度差が大きくなり、水平ストライプ現象が生じる。
【００３３】
より具体的に説明すれば、第１スキャンライン１２１及び第２スキャンライン１３１に連結された画素がいずれも同じ輝度で発光する場合を仮定すると、最も右側に位置する第１スキャンライン１２１に連結された画素Ａのカソード電圧ＶＡは第２スキャンライン１３１に連結された画素Ｂのカソード電圧ＶＢより大きく、輝度はその反対となる。即ち、理想的には画素Ａと画素Ｂが同じ輝度で発光されなければならないにも拘らず、画素Ａの輝度が画素Ｂの輝度より低く発光する。
【００３４】
即ち、同じデータラインＤｍに連結される画素であって、隣接したスキャンラインにそれぞれ連結された画素Ａ、Ｂの場合、スキャンラインの電圧降下によって輝度の差が発生し、これはパネルの中央部から終端部に向かうほど、大きくなる。
即ち、画素Ａ及び画素Ｂのカソード電圧差（ΔＶ＝ＶＡ−ＶＢ）が大きいほど、輝度差は更に大きくなる。
【００３５】
このような問題を克服するための方策として、各画素に印加される電流の大きさ、即ち、データをスキャンライン方向に対して傾斜的に調整することが提示された。しかしながら、この場合、電流の調整のために、可変電圧源が更に備えられなければならないだけでなく、各データの階調に関係なく補正が一定の割合で行われるため、中間階調に対する補正が十分でないという短所がある。
【００３６】
一例として、第１スキャンライン１２１に連結された画素Ａ及び第２スキャンライン１３１に連結された画素Ｂがいずれも１００％の輝度、即ち、フルホワイト階調で発光するようにするデータが入力されることを仮定する。このとき、画素Ｂが１００ｃｄ／ｍ２、画素Ａが９０ｃｄ／ｍ２の輝度で発光して１０％の差が生じれば、画素Ａ及び画素Ｂのカソード電圧差（ΔＶ＝ＶＡ−ＶＢ）が同一である場合、即ち、第１スキャンライン１２１に連結された画素Ａ及び第２スキャンライン１３１に連結された画素Ｂがいずれも一定の輝度（一例として、中間階調である５０％の輝度）で発光するようにするデータが入力されると、画素Ｂが５０ｃｄ／ｍ２、画素Ａが４０ｃｄ／ｍ２の輝度で発光して輝度差の絶対値は同一であるが、相対的に２０％の差が生じる。
【００３７】
即ち、水平ストライプ現象を克服するにおいては隣接スキャンラインに上下に配置された画素間の絶対的な輝度差だけでなく、各画素に印加されるデータの階調程度を考慮してデータを補正することが好ましい。これを通じて必要な補正の比率が相対的に大きい中間階調においてもより確実な水平ストライプ現象が克服可能になる。
【００３８】
本発明の実施形態は、前述したように、各スキャンライン別にこれに連結された画素に入力されるデータを格納するバッファメモリ１８と、バッファメモリ１８に格納されたデータにより各スキャンライン別の輝度の程度を判断してこれに対応するデータ補正値を生成する。そして、これを通じて前記各スキャンラインに連結されるそれぞれの画素位置に適合するように、データに補正値を加減して生成された補正データをデータ駆動部１６に提供する補正演算部１９を備えることにより、前記問題を克服する。
【００３９】
即ち、補正演算部１９はスキャンラインの配線抵抗による電圧降下の問題を克服するにおいて、それぞれのスキャンラインに連結された画素に入力されるデータによる輝度程度を考慮してこれに対応するデータを補正し、補正されたデータＤａｔａ’をデータ駆動部１６に提供する。
【００４０】
図３は、図１の補正演算部に対する具体的な構成を示すブロック図である。
図３を参照すれば、補正演算部１９は、第１計算部１９０と、第２計算部１９２と、制御部１９４とを備える。第１計算部１９０は各スキャンライン別の輝度の程度を判断し、各スキャンラインに対して互いに対応する画素別の輝度差を計算する。そして、第２計算部１９２は第１計算部の結果値と、スキャンラインに連結された各画素のアドレス情報の入力を受けて現在のスキャンラインに連結された各画素の位置に適合するように、各画素に入力されるデータＤａｔａの補正値を調整する。また、制御部１９４は第１計算部１９０による各スキャンライン別の輝度の程度を考慮して各画素に入力されるデータの輝度（階調）に適合した校正値を生成する。ここで、第２計算部１９２及び制御部１９４の出力値により生成された最終補正値がスキャンラインに連結された画素に入力されるデータＤａｔａに加減されて補正されたデータＤａｔａ’が出力される。
【００４１】
このとき、各スキャンラインは、前述したように、奇数番目及び偶数番目のスキャンラインに区分されて、それぞれ互いに反対方向からスキャン信号が入力されることを特徴とする。
【００４２】
第１計算部１９０は、バッファメモリ１８から各スキャンライン別にこれに連結された画素に入力されるデータＤａｔａの伝達を受ける。そして、これを通じて各スキャンライン別の輝度の程度を判断し、各スキャンラインに対して互いに対応する画素別の輝度差を計算する役割をする。このとき、各スキャンライン別の輝度の程度を判断するために、一例として各スキャンラインに連結された画素に入力されるデータを加算合計する回路を含んで構成されることができる。
【００４３】
又は、パルス幅変調（ＰＷＭ）駆動方式の有機電界発光表示装置の場合には、各スキャンラインに連結された画素が駆動される画素数を計算する回路が備えられることによっても実現が可能である。
これにより、スキャンラインに連結された各画素を通じて発光する輝度の程度を判断できる。
【００４４】
また、第２計算部１９２は、現在のスキャンラインに連結された各画素のアドレス情報の入力を受けてスキャンラインに連結された各画素の位置に適合するように、各画素に入力されるデータの補正値を調整する役割をする。前述したように、パネルの端部の場合は対応する画素別の輝度差が大きく、中央部へ向かうほど、対応画素別の輝度差が小さいので、各画素に入力されるデータの補正値は画素の位置に応じて互いに異なる割合で適用されることが好ましい。
【００４５】
これにより、第２計算部１９２はスキャンラインの端部から中央部方向へ画素位置に適合するように、データの補正値を傾斜的に調整することができ、これは各画素のアドレスに対して直線近似させる乗除算回路で構成され得る。
また、制御部１９４は内部に階調補正テーブル回路１９６が備えられており、これは各画素に入力されるデータの階調別に補正値を加減するようにする校正値が格納されたレジスタを含んで構成される。
【００４６】
即ち、制御部１９４は前述した第１計算部１９０により得られた各スキャンライン別の輝度の程度を考慮して各画素に入力されるデータの階調に適合した校正値を抽出する役割をする。
【００４７】
このように制御部１９４を介してスキャンラインに連結された各画素別の校正値が抽出されると、これは第２計算部１９６から出力された補正値に乗算して最終的に現在のスキャンラインに連結された各画素別の最終補正値が生成される。そして、これは各画素別に入力される現在のデータＤａｔａに加減されて補正データＤａｔａ’が出力される。
【００４８】
出力された補正データＤａｔａ’はデータ駆動部１６に伝達されてデータ駆動部１６を介してスキャンラインに連結された各画素別に印加される。
以上説明したように、本発明の最も好ましい実施の形態について説明したが、本発明は、上記記載に限定されるものではなく、特許請求の範囲に記載され、又は明細書に開示された発明の要旨に基づき、当業者において様々な変形や変更が可能であることはもちろんであり、斯かる変形や変更が、本発明の範囲に含まれることは言うまでもない。
【図１】
2010015138.tif 000003
【図２】
2010015138.tif 000004
【図３】
2010015138.tif 000005